(57)【要約】【課題】建物躯体の室外側面に、室内側に居る作業者によって室内側から防水シートを張付け施工可能とした防水シート施工用治具とする。【解決手段】建物躯体１の室外側面１ａに取付けたガイド部材１０に沿って移動する治具本体２０と、この治具本体２０に、着脱自在に吊り下げて取付けられ、ロール状の防水シート２を回転自在に支持する防水シート支持部材３０とを備え、前記治具本体２０をガイド部材１０に沿って移動しながら防水シート支持部材３０で支持したロール状の防水シート２を繰り出し可能とした防水シート施工用治具で、この治具であれば、建物躯体１の室内側に居る作業者が、その建物躯体１の開口４を通してロール状の防水シート２を移動しながら繰り出して建物躯体１の室外側面１ａに接することができるので、その建物躯体１の室外側面１ａに、その建物躯体１の室内側に居る作業者によって室内側から防水シート２を張付け施工することが可能である。【選択図】図２
2008088771.tif 000002
【特許請求の範囲】
【請求項１】
建物躯体に取付けたガイド部材に沿って移動自在であると共に、防水シートを繰り出し自在に支持し、前記ガイド部材に沿って移動しながら前記防水シートを繰り出し可能としたことを特徴とする防水シート施工用治具。
【請求項２】
建物躯体の防水シート張付け面に取付けたガイド部材に沿って移動する治具本体と、
この治具本体に、着脱自在に吊り下げて取付けられ、ロール状の防水シートを回転自在に支持する防水シート支持部材とを備え、
前記治具本体をガイド部材に沿って移動しながら防水シート支持部材で支持したロール状の防水シートを繰り出し可能としたことを特徴とする防水シート施工用治具。
【請求項３】
ガイド部材は防水シート張付け面の上部寄りに取付けられ、
防水シート支持部材の上部が治具本体に取付けられ、この防水シート支持部材の中間部にロール状の防水シートが支持され、その防水シート支持部材の下部に振れ止め部材を取付け、
この振れ止め部材は、前記防水シート張付け面の下部寄りに接するようにした請求項２記載の防水シート施工用治具。
【請求項４】
ガイド部材は、上向きの第１ガイド部、防水シート張付け面と反対側に向かう第２ガイド部、防水シート張付け面に向かう第３ガイド部を有し、
治具本体は、前記第１・第２・第３ガイド部にそれぞれ接する第１・第２・第３ガイドローラを備えている請求項２又は３記載の防水シート施工用治具。
【請求項５】
治具本体は、防水シート張付け面と反対側に開口し、上下面に貫通した凹部を有し、
防水シート支持部材の上部は、その上部を防水シート張付け面に向けて移動して前記凹部に挿入し、下方に移動することで治具本体に吊り下げて取付けられる形状とした請求項２又は３又は４記載の防水シート施工用治具。
【請求項６】
請求項１，２，３，４，５いずれか１項に記載の防水シート施工用治具を用いて防水シートを建物躯体に張付ける施工方法であって、
前記建物躯体に取付けたガイド部材に沿って防水シート施工用治具を移動自在に支持する工程と、
その防水シート施工用治具を移動すると同時に防水シートを繰り出して建物躯体に順次張付ける工程を有した防水シートの施工方法。
【請求項７】
請求項２，３，４，５いずれか１項に記載の防水シート施工用治具を用いて防水シートを建物躯体の室外側面に張付ける施工方法であって、
前記建物躯体は、その防水シート張付け部分に室外側面と室内側面とに貫通した複数の開口を左右に間隔を置いて有し、
この建物躯体の室外側面における開口よりも上部にガイド部材を、室内側に居る作業者が開口を通して取付ける工程と、
室内側に居る作業者が開口を通して治具本体を、ガイド部材に移動自在に取付ける工程と、
室内側に居る作業者が開口を通してロール状の防水シートを支持した防水シート支持部材を、前記治具本体に吊り下げて取付ける工程と、
室内側に居る作業者が前記開口を通してロール状の防水シートを移動しながら繰り出して開口を閉じる工程と、
室内側に居る作業者が前記防水シートで閉じられた開口と隣接した開口を通して防水シートを開口の周縁に固定する工程を有した防水シートの施工方法。
【発明の詳細な説明】
【技術分野】
【０００１】
本発明は、建物躯体に取付ける外壁材の下地材等として用いる防水シートを、その建物躯体の室外側面等に張付け施工する際に用いる防水シート施工用治具及び、その防水シート施工用治具を用いて防水シートを建物躯体の室外側面等に張付け施工する方法に関する。
【背景技術】
【０００２】
従来から、建物躯体に外壁材を取付ける場合に、その建物躯体の室外側面に下地材として防水シートを張付け、この防水シートの上に外壁材を取付けることが実施されている。
前述の防水シートを建物躯体の室外側面に張付け施工する際に用いる治具が種々提案されている。
例えば、特許文献１に開示されたように、ロール状の防水シートを回転自在に支承する形状で、作業者が手で持って移動するようにした防水シート施工用治具が提案されている。
この防水シート施工用治具を用いて防水シートを張付け施工する方法は、治具を作業者が手で持って移動することで防水シートを引き出し、張付け施工する方法と、治具を足場の支柱、踏板に引っ掛けて吊り下げ、防水シートを引き出し張付け施工する方法がある。
【０００３】
【特許文献１】特開平１１−１４８２２９号公報
【発明の開示】
【発明が解決しようとする課題】
【０００４】
前述した従来の治具は、その治具を作業者が手で持って移動して防水シートを引き出して張付け施工したり、又は治具を足場などに吊り下げて防水シートを引き出して張付け施工する構成である。
このようであるから、前者のようにして防水シートを張り付け施工する場合には、治具とロール状の防水シートを作業者が手で持って移動するので、その作業が重労働で、面倒である。
また、後者のようにして防水シートを張り付け施工する場合には、ロール状の防水シートを張り付ける長さだけ引き出し、その引き出した防水シートを１度に張り付けるので、防水シートがしわになったりし易く、正しく真っ直ぐな姿勢で張り付け施工できないことがある。
【０００５】
また、従来の治具を用いて建物躯体の室外側面に、室内側からの防水シートの張付け施工はやりづらく、事実上は張付けできない。
例えば、治具にロール状の防水シートを支持した状態で、その治具を建物躯体の室外側に配設し、建物躯体の室内側に居る作業者が手を出して治具を持ち、その治具を移動して防水シートを引き出して張付け施工することになるので、その作業がやりづらく、事実上は張付け施工できない。
特に、長尺な外壁材を縦向きに取付ける外壁材タテ張り施工の場合に、１枚の防水シートを外壁材取付部の全長に亘って一度に張付けるようにすると、その防水シートの幅（上下寸法）が広く、ロール状の防水シートの重さが大重量となるので、その大重量の防水シートを支承した治具を室内側の作業者が手で持って移動することは事実上無理で、防水シートを室内側から張付け施工できない。
【０００６】
このようであるから、狭小地での外壁材取付け作業の際に、前述した従来の治具を用いて防水シートを建物外壁の室外側面に張付けることができない。
なお、狭小地とは隣接境界と建物躯体との間の距離が短い（例えば５００ｍｍ以下）場合等である。
【０００７】
本発明の目的は、建物躯体に防水シートを、しわなどが生じることなく真っ直ぐな状態で簡単に張付け施工でき、しかも建物躯体の室外側面に、その建物躯体の室外側から防水シートを張付け施工することが可能である防水シート施工用治具及びそれを用いた防水シートの施工方法を提供することである。
【課題を解決するための手段】
【０００８】
本発明の第１の防水シート施工用治具は、建物躯体に取付けたガイド部材に沿って移動自在であると共に、防水シートを繰り出し自在に支持し、前記ガイド部材に沿って移動しながら前記防水シートを繰り出し可能としたことを特徴とする防水シート施工用治具である。
【０００９】
この防水シート施工用治具において防水シートを繰り出し自在に支持するには、ロール状の防水シートを回転自在に支持したり、防水シートを蛇腹状に順次折り畳みした状態で支持することができる。
【００１０】
本発明の第２の防水シート施工用治具は、防水シート張付け面に取付けたガイド部材に沿って移動する治具本体と、
この治具本体に、着脱自在に吊り下げて取付けられ、ロール状の防水シートを回転自在に支持する防水シート支持部材とを備え、
前記治具本体をガイド部材に沿って移動しながら防水シート支持部材で支持したロール状の防水シートを繰り出し可能としたことを特徴とする防水シート施工用治具である。
【００１１】
本発明の第２の防水シート施工用治具においては、ガイド部材は防水シート張付け面の上部寄りに取付けられ、
防水シート支持部材の上部が治具本体に取付けられ、この防水シート支持部材の中間部にロール状の防水シートが支持され、その防水シート支持部材の下部に振れ止め部材を取付け、
この振れ止め部材は、前記防水シート張付け面の下部寄りに接するようにすることができる。
このようにすれば、防水シート支持部材の上部が防水シート張付け面の上部寄りに沿って治具本体とともに左右に移動し、その防水シート支持部材の下部は振れ止め部材で振れ止めされながら防水シート張付け面の下部寄りに沿って左右に移動する。
したがって、ロール状の防水シートを防水シート張付け面に沿ってスムーズに左右に移動することができる。
【００１２】
本発明の第２の防水シート施工用治具においては、ガイド部材は、上向きの第１ガイド部、防水シート張付け面と反対側に向かう第２ガイド部、防水シート張付け面に向かう第３ガイド部を有し、
治具本体は、前記第１・第２・第３ガイド部にそれぞれ接する第１・第２・第３ガイドローラを備えていることができる。
このようにすれば、治具本体をガイド部材に沿って防水シート張付け面に接近、離隔方向に振れ動くことなしに安定してスムーズに移動できる。
【００１３】
本発明の第２の防水シート施工用治具においては、治具本体は、防水シート張付け面と反対側に開口し、上下面に貫通した凹部を有し、
防水シート支持部材の上部は、その上部を防水シート張付け面に向けて移動して前記凹部に挿入し、下方に移動することで治具本体に吊り下げて取付けられる形状とすることができる。
このようにすれば、防水シート支持部材の上部を、防水シート張付け面に向けて移動して凹部に挿入した後に、その上部を下方に移動して治具本体に吊り下げて取付けできるので、その防水シート支持部材の上部を治具本体に簡単に吊り下げて取付けできる。
【００１４】
本発明の第１の防水シートの施工方法は、建物躯体に取付けたガイド部材に沿って本発明の防水シート施工用治具を移動自在に支持する工程と、その防水シート施工用治具を移動すると同時に防水シートを繰り出して建物躯体に順次張り付ける工程を有した防水シートの施工方法である。
【００１５】
本発明の第２の防水シートの施工方法は、前述の請求項２，３，４，５いずれか１項に記載の防水シート施工用治具を用いて防水シートを建物躯体の室外側面に張付ける方法であって、
前記建物躯体は、その防水シート張付け部分に室外側面と室内側面とに貫通した複数の開口を左右に間隔を置いて有し、
この建物躯体の室外側面における開口よりも上部にガイド部材を、室内側に居る作業者が開口を通して取付ける工程と、
室内側に居る作業者が開口を通して治具本体を、ガイド部材に移動自在に取付ける工程と、
室内側に居る作業者が開口を通してロール状の防水シートを支持した防水シート支持部材を、前記治具本体に吊り下げて取付ける工程と、
室内側に居る作業者が前記開口を通してロール状の防水シートを移動しながら繰り出して開口を閉じる工程と、
室内側に居る作業者が前記防水シートで閉じられた開口と隣接した開口を通して防水シートを開口の周縁に固定する工程を有した防水シートの施工方法である。
【発明の効果】
【００１６】
本発明の第１の防水シート施工用治具であれば、防水シートを支持した治具をガイド部材に沿って移動するので、その作業が簡単である。
また、治具を移動しながら防水シートを繰り出し、その繰り出した部分を張り付け施工する作業をくり返すことで防水シートを建物躯体に張り付け施工できるので、防水シートがしわになったりせずに正しく真っ直ぐな状態で張り付け施工できる。
【００１７】
本発明の第２の防水シート施工用治具によれば、ロール状の防水シートを支持した防水シート支持部材が治具本体とともにガイド部材に沿って移動するから、重量の重いロール状の防水シートを軽い力でスムーズに移動しながら繰り出しすることができる。
また、防水シート支持部材を治具本体に吊り下げて取付けたり、取り外したりすることができるから、防水シート支持部材を治具本体とは別に単体として取り扱うことができる。
【００１８】
このようであるから、ガイド部材を建物躯体の室外側面に取付け、その建物躯体の防水シート張付け部に形成した開口を通して室内側に居る作業者が治具本体をガイド部材に取付け、その治具本体に、ロール状の防水シートを支持した防水シート支持部材を前記開口を通して吊り下げて取付け、そのロール状の防水シートを開口を通して室内側に居る作業者が移動しながら繰り出しすることができるので、建物躯体の室外側面に、その建物躯体の室内側から防水シートを張付け施工することが可能である。
【００１９】
本発明の第１の防水シートの施工方法であれば、建物躯体に防水シートをしわなどが生じることなく真っ直ぐな状態で簡単に張付け施工できる。
【００２０】
本発明の第２の防水シートの施工方法であれば、建物躯体の室外側面に防水シートを、その建物躯体の室内側に居る作業者によって張付けできる。
したがって、長尺な外壁材を縦向きとして取付けるタテ張り施工の際に、その外壁材の長さと同様な幅広い防水シートを、建物躯体の室外側面に室内側から張付け、その後に外壁材を室内側から取付けできるから、狭小地においても外壁材をタテ張り施工することが可能である。
【発明を実施するための最良の形態】
【００２１】
図１に示すように、建物躯体の防水シート張付け面、例えば建物躯体１の室外側面１ａに防水シート２を張付け、その防水シート２に接するようにして外壁材３を建物躯体１の室外側面１ａに取付ける。
前記建物躯体１の外壁材取付部分（防水シート張付け部）には縦長の開口４が左右方向に間隔を置いて複数有する。この開口４は建物躯体１の室外側面１ａと室内側面１ｂとに亘って開口連通している。
例えば、下の横材（土台）５と上の横材（胴縁）６と柱７、間柱８で縦長の開口４を形成し、この開口４は床と天井との間の寸法と略等しい。
前記防水シート２は開口２の下縁部（土台５）と開口２の上縁部（胴縁６）とに亘って張付けられるように幅広い。例えば、幅が３ｍである。
前記外壁材３は開口４の下縁部（土台５）と開口２の上縁部（胴縁６）とに亘って取付けられるように長尺で、縦向きに取付けられる。つまり、外壁材３はタテ張り施工で取付けられる。
前記防水シート２は透湿性を有する透湿防水シートが好ましいが、透湿性を有しない防水シートでも良い。
【００２２】
次に、前述の防水シート２を張付け施工するための防水シート施工用治具を図２〜図５に基づいて説明する。
前述の治具は、図２に示すように防水シート張付け面である建物躯体１の室外側面１ａに左右方向に向けて取付けたガイド部材１０に沿って左右に移動する治具本体２０と、この治具本体２０に着脱自在に吊り下げて取付けられ、ロール状の防水シートを回転自在に支持する防水シート支持部材３０と、この防水シート支持部材３０の下部を室内外側方向、つまり防水シート張付け面に接近、離隔方向に振れ動くことがないようにする振れ止め部材４０を備えている。
【００２３】
前記治具本体２０は室内外側方向（前述の防水シート張付け面に接近、離隔する方向）に倒れたり、振れ動いたりせずに安定した姿勢を維持してガイド部材１０に沿って左右方向にスムーズに、軽い力で移動するようにしてある。
例えば、前記ガイド部材１０は上向きの第１ガイド部１１と室外側（防水シート張付け面と反対側）に向かう第２ガイド部１２と室内側（防水シート張付け面）に向かう第３ガイド部１３を有する。
前記治具本体２０は、前記第１ガイド部１１に接する第１ガイドローラ２１と、前記第２ガイド部１２に接する第２ガイドローラ２２と前記第３ガイド部１３に接する第３ガイドローラ２３を有する。
そして、第１ガイドローラ２１が第１ガイド部１１に沿って回転することで治具本体２０を左右方向にスムーズに移動するように支持し、第２ガイドローラ２２が第２ガイド部１２に沿って回転することで治具本体２０が室外側（防水シート張付け面と反対側）に倒れたり、振れ動かないように支持し、第３ガイドローラ２３が第３ガイド部１３に沿って回転することで治具本体２０が室内側（防水シート張付け面）に倒れたり、振れ動いたりしないように支持する。
【００２４】
前記ガイド部材１０は建物躯体１の室外側面１ａにおける開口４の上縁部分（防水シート張付け面の上部寄り）、例えば図１に仮想線で示すように胴縁６に取付けてある。
この実施の形態では、前記ガイド部材１０を、外壁材３を取付けるための下端カバー１４と水切り１５で構成している。
前記下端カバー１４は建物躯体１の室外側面１ａに取付けられ、外壁材３の下端部が嵌め込みされる上向き凹部を有し、その上向き凹部を形成する立上り片１４ａの上端部が第１ガイド部１１で、その立上り片１４の室内側縦向面が第３ガイド部１３である。
前記水切り１５は建物躯体１の室外側面１ａに取付けられ、下端カバー１４よりも下方で、かつ室外側に突片した水切り片１５ａを有し、その水切り片１５ａの室外側縦面が第２ガイド部１２である。
【００２５】
この下端カバー１４、水切り１５は室内側に居る作業者が開口４を通して胴縁６の室外側面に簡単に取付けできるようにしてある。
また、前記治具本体２０は防水シート支持部材３０を取り外した状態で、室内側に居る作業者が建物躯体１の開口４を通してガイド部材１０に移動自在に取付けできるようにしてある。
【００２６】
前記防水シート支持部材３０は、ロール状の防水シート２を回転自在に縦向きで支持した状態で、室内側に居る作業者が建物躯体１の開口４を通して治具本体２０に吊り下げて取付けできるようにしてある。
例えば、防水シート支持部材３０は軸３１と、この軸３１の上部寄りに設けた引掛け部材３２と、軸３１の上下中間に設けた上部支持部材３３と、軸３１の下部寄りに設けた下部支持部材３４を備え、その下部支持部材３４でロール状の防水シート２の下端部を軸３１に対して回転自在で落下しないように支持し、かつそのロール状の防水シート２の上端部を上部支持部材３３で回転自在に支持する。
前記治具本体２０には室外側面２０ａ（つまり、防水シート張付け面と反対側）に開口した凹部２４が上下面に亘って形成され、この凹部２４に引掛け部材３２を室内外側方向から嵌め込むことで、その引掛け部材３２が治具本体２０の上面２０ｂに接し、前記軸３１の上部が治具本体２０に吊り下げて取付けられる。
【００２７】
前記振れ止め部材４０は、防水シート支持部材３０を前述のように治具本体２０に吊り下げて取付けることで、その振れ止め部材４０が建物躯体１の室外側面１ａにおける開口４の下縁部分（防水シート張付け面の下部寄り）に接し、防水シート支持部材３０が左右に移動する際に、その下部が室内外側方向（前述の防水シート張付け面に接近、離隔する方向）に振れないように支持する。
例えば、振れ止め部材４０は前記軸３１に対して回転自在な円板４１を有し、この円板４１が建物躯体１の室外側面１ａに接し、治具本体２０の移動によって円板４１が回転する。
なお、防水シート支承部材３０の上部を治具本体２０にしっかりと支持し、その防水シート支承部材３０の下部が大きく触れないようにすれば、前述の振れ止め部材４０を設けなくとも良い。
【００２８】
このようであるから、防水シート施工用治具を室内側に居る作業者によって室内側から建物躯体１の開口４を通して、その建物躯体１の室外側面１ａに沿って左右方向に移動自在に取付けできる。
そして、室内側に居る作業者がロール状の防水シート２を回転しながら左右一方に移動することで、その防水シート２を順次繰り出して建物躯体１の室外側面１ａに接することができるから、防水シート２を室内側に居る作業者によって室内側から建物躯体１の室外側面１ａに簡単に取付けできる。
【００２９】
次に、各部材の具体形状を説明する。
前記治具本体２０は図３〜図５に示すように室内側部分２０−１の上下寸法が小さく、室外側部分２０−２の上下寸法が大きい断面略鉤形状の長尺材で、その室内側部分２０−１に空洞部２５が上下面に貫通して形成してある。
この空洞部２５に第１ガイドローラ２１が横軸周りに回転自在に取付けてあり、その第１ガイドローラ２１は室内側部分２０−１の下面よりも下方に突出する。
前記室内側部分２０−１の下面に第３ガイドローラ２３が縦軸回りに回転自在に取付けてあると共に、前記室外側部分２０−２の下面に第２ガイドローラ２２が縦軸回りに回転自在に取付けてある。
そして、第２ガイドローラ２２は室外側寄りで、第３ガイドローラ２３は室内側寄りである。
前記凹部２４は、スリット状部２４ａと円形部２４ｂを有し、そのスリット状部２４ａの幅は円形部２４ｂの直径よりも小さい。
【００３０】
前記軸３１は図２に示すように角軸としてある。この軸３１の径は凹部２４のスリット状部２４ａの幅よりも小さい。
前記引掛け部材３２は上部大径筒３２ａと下部小径筒３２ｂで段付き筒形状で、この引掛け部材３２の中心孔に軸３１の上部を挿入し、ロックボルト３５を上部大径筒３２ａに螺合して軸３１に押しつけて固定してある。このロックボルト３５は大径の握り部３５ａを有している。
前記上部大径筒３２ａの直径は治具本体２０の凹部２４の円形部２４ｂの直径よりも大きく、下部小径部３２ｂの直径は、前記凹部２４のスリット状部２４ａの幅より大きく、円形部２４ｂの直径よりも小さい。
【００３１】
このようであるから、軸３１を治具本体２０の凹部２４内に挿入し、その後に軸３１を下方に移動することで、引掛け部材３２の下部小径筒３２ｂが凹部２４の円形部２４ｂ内に嵌合して上部大径筒３２ａの下面が治具本体２０の上面２０ｂに接するので、軸３１が治具本体２０に吊り下げ支持されると共に、軸３１が治具本体２０に対して室内外側方向にガタつくことがなく、しかも下部小径筒３２ｂが凹部２４のスリット状部２４ａから抜け出しできないので、軸３１が治具本体２０の凹部２４から室外側に抜けることがない。
つまり、防水シート支持部材３０の上部は、その上部を建物躯体１の室外側面１ａ（防水シート張付け面）に向けて移動して前記凹部２４に挿入し、下方に移動することで治具本体２０に吊り下げて取付けられる形状である。
【００３２】
前記上部支持部材３３は筒形状で、その外周面３３ａの下部寄りにテーパ面３３ｂを有している。
この上部支持部材３３の中心孔に軸３１を挿通し、前述と同一のロックボルト３５を上下支持部材３３に螺合して軸３１に押しつけて長手方向に移動しないように固定する。
そして、この上部支持部材３３の外周面３３ａにロール状の防水シート２の内周面、例えば円筒状の芯２ａを接して回転自在に支持する。
つまり、円筒状の芯２ａに防水シート２を巻装してロール状の防水シートとする。この芯２ａは円筒ではなく、角筒でも良い。
【００３３】
前記下部支持部材３４は、軸３１の下部に取付けた取付用筒体３６の上部小径部分３６ａに回転自在に取付けた筒形状で、その外周面３４ａの上部寄りにテーパ面３４ｂを有すると共に、下部寄りにフランジ３４ｃが一体的に設けてある。
そして、ロール状の防水シート２の内周面（前述の芯２ａ）が外周面３４ａに接し、下面がフランジ部３４ｃに接してロール状の防水シートの下部を回転自在で、かつ落下しないように支持する。
【００３４】
前記取付用筒体３６の中心孔に軸３１の下部が挿通され、その下部大径部分３６ｂに前述のロックボルト３５を螺合して軸３１に押しつけて長手方向に移動しないように固定する。
前記取付用筒体３６の中間部分３６ｃに前述の円板４１を回転自在に取付けて振れ止め部材４０としてある。
【００３５】
前記上部支持部材３３と下部支持部材３４は、テーパ面３３ｂ，３４ｂを有するので、このテーパ面３３ｂ，３４ｂに前述の芯２ａの上端、下端を接して支持できるから、若干の径の異なる芯２ａを支持できる。
また、上部支持部材３３と下部支持部材３４との間には円形パイプ３７が設けられ、この円形パイプ３７内に軸３１が挿通しているので、ロール状の防水シートは円形パイプ３７に接しながらスムーズに回転できる。
【００３６】
次に、建物躯体１の室外側面１ａに防水シート２を室内側から張付け施工する作業を説明する。
前記ガイド部材１０（下端カバー１４、水切り１５）を建物躯体１の室外側面１ａに、開口４を通して室内側から取付ける。
室内側から治具本体２０を建物躯体１の開口４を通して前記ガイド部材１０に取付ける。
ロール状の防水シートを軸３１に上部支持部材３３と下部支持部材３４で回転自在で、落下しないように支持する。
このロール状の防水シートを支持した防水シート支持部材３０を室内側から建物躯体１の開口４を通して治具本体２０に、前述のように吊り下げて取付ける。
【００３７】
図６（ａ）に示すように、ロール状の防水シート２の巻終わり端縁２ｂを開口４の一端縦縁（間柱８）に位置合わせし、室内側に居る作業者が開口４から身を室外側に出しながら手を延ばして前述の巻き終わり端縁２ｂを間柱８に固着具２ｃで固着して取付ける。
【００３８】
次に、室内側に居る作業者が建物躯体１の開口４から手を出してロール状の防水シート２を持って左右一方（矢印方向）に引張ることでロール状の防水シート２を繰り出しながら治具全体を左右一方に移動して図６（ｂ）に示すように、前述の間柱８と隣接した間柱８まで防水シート２を引張り、開口４を防水シート２で閉じる。
【００３９】
この状態で防水シート２により閉じられた開口４と隣接した開口から室内側に居る作業者が身を室外側に出しながら手を延ばして図６（ｃ）に示すように、開口４を閉じている防水シート２を開口４の周縁に固着具２ｃで固着する。
【００４０】
次に前述と同様にしてロール状の防水シート２を左右一方に移動して図６（ｄ）に示すように開口４を防水シート２で閉じる。
そして、隣接した開口４から室内側に居る作業者が前述と同様にして開口４を覆っている防水シート２を固着具２ｃで開口４の周縁に固着する。
【００４１】
この動作を順次繰り返して防水シート２を建物躯体１の室外側面１ａに取付ける。
なお、作業の途中でロール状の防水シート２を使い切ってしまった場合には、室内側に居る作業者が開口４から手を出して、防水シート支持部材３０を前述と反対に操作して治具本体２０から取り外し、室内側に移動して新しいロール状の防水シート２を回転自在に支持する。
そして、ロール状の防水シート２を支持した防水シート支持部材３０を、前述と同様にして治具本体２０に吊り下げて取付ける。
この後に、前述のようにして防水シート２を取付ける。
【００４２】
図１に示す外壁材３を防水シート２の上に取付けるには、図６（ｃ）に示すように開口４を閉じた防水シート２を、その開口２の周縁に固着具２ｃで固着して張付けした後に、その開口２と隣接した開口４を通して室内側に居る作業者によって開口４を閉じている防水シート２の上に外壁材３を取付ける。
【００４３】
前述の実施の形態では建物躯体１の室外側面１ａに室内側に居る作業者によって防水シート２を張付け施工することを説明したが、本発明の治具を用いて防水シート２を前述の建物躯体１の室外側面１ａ以外の部分に張付け施工できる。
つまり、本発明の防水シート施工用治具によれば、任意の防水シート張付け面に防水シートを簡単に張付け施工できる。
【００４４】
例えば、本発明の防水シート施工用治具の治具本体２０と防水シート支持部材３０を一体とし、その防水シート施工用治具をガイド部材に沿って移動自在で防水シートを繰り出し自在に支持するものとする。
前述の防水シートを繰り出し自在に支持するには、前述のようにロール状の防水シートを回転自在に支持するのが好ましいが、防水シートを蛇腹状に順次折り畳みした状態で支持しても良い。
また、ガイド部材を建物躯体の下部に取付け、治具の下部をそのガイド部材に沿って移動自在としても良い。
例えば、図２に示すガイド部材１０を建物躯体１の室外側面１ａにおける開口４の下縁部分に取付ける。
治具における軸３１の下部に治具本体２０を取付け、その軸３１の上部に振れ止め部材４０を取付けて、防水シート支持部材３０の上部寄りに振れ止め部材４０、下部寄りに治具本体２０を備えた治具とする。この場合には振れ止め部材４０を設けなくとも良い。
そして、治具本体２０をガイド部材１０に沿って移動自在とする。
また、ガイド部材を建物躯体の上部と下部に取付け、治具の上部と下部を各ガイド部材に沿って移動自在としても良い。
【００４５】
前述した防水シート施工用治具によれば、建物躯体の室外側面、室内側面にガイド部材を取り付けて室外側に居る作業者、室内側に居る作業者によって治具を移動しながら防水シートを順次繰り出して室外側面、室内側面に張り付け施工できる。
この場合に、防水シートを張付け面の全長に亘って繰り出して一度の張り付け施工せずに、所定の長さだけ繰り出して張り付け施工することを何日か繰り返して施工できるので、防水シートにしわが生じたりせずに真っ直ぐ正しい状態で張り付け施工できる。
【図面の簡単な説明】
【００４６】
【図１】建物躯体の外壁材取付部分の概略斜視図である。
【図２】防水シート張付け治具の一部破断側面図である。
【図３】治具本体の正面図である。
【図４】治具本体の平面図である。
【図５】図３のＡ−Ａ断面図である。
【図６】防水シートの張付け動作説明図である。
【符号の説明】
【００４７】
１…建物躯体、１ａ…室外側面（防水シート張付け面）、２…防水シート、３…外壁材、４…開口、１０…ガイド部材、１１…第１ガイド部、１２…第２ガイド部、１３…第３ガイド部、２０…治具本体、２１…第１ガイドローラ、２２…第２ガイドローラ、２３…第３ガイドローラ、２４…凹部、３０…防水シート支持部材、３１…軸、３２…引掛け部材、３３…上部支持部材、３４…下部支持部材、４０…振れ止め部材。
【図１】
2008088771.tif 000003
【図２】
2008088771.tif 000004
【図３】
2008088771.tif 000005
【図４】
2008088771.tif 000006
【図５】
2008088771.tif 000007
【図６】
2008088771.tif 000008